(57)【要約】      （修正有）【課題】洗浄水によるボウルの外部への飛び出しや周囲への飛び散りを効果的に抑制することができると共に、便器洗浄性能や汚物排出性能を向上させることができる水洗大便器を提供する。【解決手段】水洗大便器は、ボウルと、排水路と、第１リム吐水部２０と、第２リム吐水部と、を有し、ボウルの前方領域における通水路Ｃは、ボウル面の前端部６ａに対して上流側及び下流側にそれぞれ形成される上流側通水路Ｃ１及び下流側通水路Ｃ２を備え、下流側通水路の平面視における曲率半径ρ２は、上流側通水路の平面視における曲率半径ρ１よりも小さくなるように設定されており、ボウルの前方領域における通水路は、その棚面１６とオーバーハング部との間に形成される鉛直方向の流路断面を備え、この鉛直方向の流路断面の断面積は、通水路の前端部において最小となるように設定されている。【選択図】図４
2019173323.tif 000002
【特許請求の範囲】
【請求項１】
洗浄水源から供給される洗浄水によって洗浄されて汚物を排出する水洗大便器であって、
上縁に形成されるリムと、汚物を受ける汚物受け面と、この汚物受け面と上記リムの内周面との間に形成される通水路と、を備え、ボウル形状のボウル面を形成するボウルと、
このボウルの下方に接続されて汚物を排出する排水路と、
上記リムに設けられて上記通水路に洗浄水を吐水して上記ボウル面に旋回流を形成する第１リム吐水部及び第２リム吐水部と、を有し、
上記第１リム吐水部は、上記ボウル面の前後方向に延びる中心軸線に対して一方側の上記リムの側方領域の前方に設けられた第１リム吐水口を備え、この第１リム吐水口は、その前方の上記通水路に吐水して上記ボウル面の前端部に向かう水流を形成するように構成され、
上記第２リム吐水部は、上記ボウル面の前後方向に延びる中心軸線に対して他方側の上記リムに設けられた第２リム吐水口を備え、
上記ボウルは、上記第１リム吐水口と、この第１リム吐水口よりも前方に形成された上記ボウル面と、を含む前方領域を備え、
上記ボウルの前方領域における上記通水路は、上記ボウル面の前端部に対して上流側及び下流側にそれぞれ形成される上流側通水路及び下流側通水路を備え、上記下流側通水路の平面視における曲率半径は、上記上流側通水路の平面視における曲率半径よりも小さくなるように設定されており、
上記ボウルの前方領域における上記リムは、その内周面の上方部分が上記ボウルの内側に向って突出するように形成されたオーバーハング部を備えており、
上記ボウルの前方領域における上記通水路は、上記第１リム吐水口から洗浄水が吐水される棚面と、この棚面と上記オーバーハング部との間に形成されて上方が上記オーバーハング部により覆われる鉛直方向の流路断面と、を備え、この鉛直方向の流路断面の断面積は、上記通水路の前端部において最小となるように設定されていることを特徴とする水洗大便器。
【請求項２】
上記リムは、その内周面が下方から上記リムの上面まで立ち上がるように形成された立壁面を備え、この立壁面は、上記リムの内周面の上側領域及び下側領域をそれぞれ形成する上側立壁面及び下側立壁面を備えており、
上記ボウルの前方領域において、上記下側立壁面は、下方から上方に向って斜め外側に立ち上がるように形成されている請求項１記載の水洗大便器。
【請求項３】
上記ボウルの前方領域において、上記上側立壁面は、上記ボウルの前方領域の上記通水路の前端部又はその上流側を形成する上記リムの内周面の上側領域に設けられた第１上側立壁面と、上記ボウルの前方領域の上記下流側通水路を形成する上記リムの内周面の上側領域に設けられた第２上側立壁面と、を備え、
上記第１上側立壁面及び上記第２上側立壁面のそれぞれは、その下端から斜め上方内側に向かって立ち上がるように形成された第１傾斜面及び第２傾斜面をそれぞれ備え、
上記第１傾斜面及び上記第２傾斜面のそれぞれは、立面視において、鉛直面に対して傾斜する第１傾斜角度及び第２傾斜角度をそれぞれ備え、
上記第２上側立壁面の第２傾斜面の第２傾斜角度は、上記第１上側立壁面の第１傾斜面の第１傾斜角度よりも大きく設定されている請求項２記載の水洗大便器。
【請求項４】
上記ボウル面は、さらに、上記通水路の棚面の外端と上記下側立壁面の下端とを曲面にて連結する連結面を備え、上記ボウルの前方領域における上記連結面の立面視の上下方向の曲率半径は、上記ボウルの前方領域の周方向の全区間に亘ってほぼ一定に設定されている請求項３記載の水洗大便器。
【請求項５】
上記ボウルの前方領域において、上記連結面の下端は、上記ボウルの前方領域の周方向の全区間に亘ってほぼ同一の高さ位置に設けられている請求項４記載の水洗大便器。
【請求項６】
上記ボウルの前方領域において上記オーバーハング部により上方が覆われる上記通水路の鉛直方向の流路断面の断面積は、上記第１リム吐水口の下流側近傍で最大となるように設定されている請求項１乃至５の何れか１項に記載の水洗大便器。
【請求項７】
上記リムは、上記第１リム吐水口の内縁を形成する内側壁と、上記第１リム吐水口の外縁を形成する外側壁と、を備え、
上記リムの内周面は、上記リムの内側壁の内周面を形成する第１リム内周面と、上記リムの外側壁の内周面を形成し且つ上記第１リム内周面よりも外側に位置する第２リム内周面と、を備え、
上記第１リム内周面は、上記第１リム吐水口の口縁の一部を形成する口縁部を備え、この口縁部は、上流側から下流側に向って下方から斜め上方に傾斜している請求項６記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
従来から、洗浄水源から供給される洗浄水によって洗浄されて汚物を排出する従来の水洗大便器として、例えば、特許文献１及び２に記載されているものが知られている。
まず、上述した特許文献１に記載されている従来の水洗大便器においては、ボウルの左右方向の一方側の側方領域のリムに設けられた第１リム吐水口と、ボウルの後方領域のリムに設けられた第２リム吐水口と、を備えており、これらの２つのリム吐水口から吐水された洗浄水（リム吐水）のみによって、ボウル面の洗浄と汚物の排出とが行われるようになっている。
また、上述した特許文献１に記載されている従来の水洗大便器では、第１リム吐水口及び第２リム吐水口のそれぞれからボウルの周方向前方に吐水された洗浄水が、リムの内周面に沿って旋回した後、ボウル面上をその下方の凹部に向かって流下するようになっている。
この際、特に、第１リム吐水口から前方に吐水された洗浄水は、ボウルの前端付近を通過した後、ボウルの前方領域からその後方のボウル面の下方の凹部に接続された排水路の入口に向かって勢いよく流れ込むことにより、汚物の排出性能を向上させている。
【０００３】
ここで、従来の一般的な水洗大便器のボウルの基本的な形状については、ボウルの平面視において、概ね前後方向に縦長の卵形又は楕円形状であり、ボウルの前端部におけるリムの平面視の曲率半径がボウルのリム全周の中で小さく形成されているものがある。
これにより、ボウルの前端部においてリムの内周面に沿って旋回する洗浄水において、その旋回方向の水勢が強い場合には、このボウルの外部への飛び出しや周囲への飛び散りが生ずるおそれがあるという問題がある。
また、上述した特許文献２に記載されている従来の水洗大便器においては、ボウルの前端部の近傍にリム吐水口が設けられており、このリム吐水口から吐出された直後の洗浄水は、ボウルの前端部を勢いよく通過するようになっている。
このため、上述した特許文献２に記載されている従来の水洗大便器では、ボウルの前端部のリムについて、その上方を大きくオーバーハングさせた形状にすることにより、ボウルの前端部を通過する洗浄水によるボウルの外部への飛び出しや周囲への飛び散りを抑制している。
【先行技術文献】
【特許文献】
【０００４】
【特許文献１】特開２０１５−１６９００４号公報
【特許文献２】特開２０１３−４４１７７号公報
【発明の概要】
【発明が解決しようとする課題】
【０００５】
しかしながら、上述した特許文献２に記載されている従来の水洗大便器のように、ボウルの前端部のリムの上方を大きくオーバーハングさせた形状のボウルの外部への飛び出しや周囲への飛び散りを確実に抑制することができるが、このようなオーバーハング形状のリムの内壁によって水勢についても抑制された状態でボウル面を流下することになる。
したがって、このように水勢が抑制された状態で洗浄水がボウル面を流下し、排水路に流れ込んだとしても、ボウル面の汚物を十分に洗い流すことができず、ボウル面に不洗浄部分が残されてしまい、便器洗浄性能が低下するという問題がある。
また、排水路から汚物を十分に排出することができず、汚物排出性能が低下するという問題もある。
したがって、洗浄水によるボウルの外部への飛び出しや周囲への飛び散りを効果的に抑制しながら、いかに便器洗浄性能や汚物排出性能を向上させるかが、従来から要請された課題となっている。
【０００６】
そこで、本発明は、上述した従来技術の課題を解決するためになされたものであり、洗洗浄水によるボウルの外部への飛び出しや周囲への飛び散りを効果的に抑制することができると共に、便器洗浄性能や汚物排出性能を向上させることができる水洗大便器を提供することを目的としている。
【課題を解決するための手段】
【０００７】
上述した課題を解決するために、本発明は、洗浄水源から供給される洗浄水によって洗浄されて汚物を排出する水洗大便器であって、上縁に形成されるリムと、汚物を受ける汚物受け面と、この汚物受け面と上記リムの内周面との間に形成される通水路と、を備え、ボウル形状のボウル面を形成するボウルと、このボウルの下方に接続されて汚物を排出する排水路と、上記リムに設けられて上記通水路に洗浄水を吐水して上記ボウル面に旋回流を形成する第１リム吐水部及び第２リム吐水部と、を有し、上記第１リム吐水部は、上記ボウル面の前後方向に延びる中心軸線に対して一方側の上記リムの側方領域の前方に設けられた第１リム吐水口を備え、この第１リム吐水口は、その前方の上記通水路に吐水して上記ボウル面の前端部に向かう水流を形成するように構成され、上記第２リム吐水部は、上記ボウル面の前後方向に延びる中心軸線に対して他方側の上記リムに設けられた第２リム吐水口を備え、上記ボウルは、上記第１リム吐水口と、この第１リム吐水口よりも前方に形成された上記ボウル面と、を含む前方領域を備え、上記ボウルの前方領域における上記通水路は、上記ボウル面の前端部に対して上流側及び下流側にそれぞれ形成される上流側通水路及び下流側通水路を備え、上記下流側通水路の平面視における曲率半径は、上記上流側通水路の平面視における曲率半径よりも小さくなるように設定されており、上記ボウルの前方領域における上記リムは、その内周面の上方部分が上記ボウルの内側に向って突出するように形成されたオーバーハング部を備えており、上記ボウルの前方領域における上記通水路は、上記第１リム吐水口から洗浄水が吐水される棚面と、この棚面と上記オーバーハング部との間に形成されて上方が上記オーバーハング部により覆われる鉛直方向の流路断面と、を備え、この鉛直方向の流路断面の断面積は、上記通水路の前端部において最小となるように設定されていることを特徴としている。
このように構成された本発明においては、ボウルの前方領域において、第１リム吐水口から上流側通水路に吐水された洗浄水は、ボウル面の前端部を通過した後、下流側通水路に旋回する。
このとき、ボウルの前方領域における通水路においては、棚面とオーバーハング部との間に形成されてその上方がオーバーハング部により覆われる鉛直方向の流路断面の断面積が、通水路の前端部において最小となるように設定されている。
これにより、ボウルの前方領域の通水路の前端部のオーバーハング部のオーバーハング量（突出量）についても比較的小さく設定することができる。
一方、ボウルの前方領域の上流側通水路及び下流側通水路のそれぞれのオーバーハング部のオーバーハング量（突出量）については、通水路の前端部のオーバーハング量（突出量）よりも大きく設定することができる。
これらの結果、第１リム吐水口から上流側通水路に吐水された洗浄水が通水路の前端部を通過する際に、オーバーハング部との衝突によるエネルギーロスを抑制することができ、高いエネルギーを維持しながら、下流側通水路に洗浄水を旋回させることができる。
また、ボウルの前方領域の通水路の前端部を通過した洗浄水が下流側通水路を流れる際には、下流側通水路の平面視の曲率半径が上流側通水路の平面視の曲率半径よりも小さく、かつ、下流側通水路の流路断面のオーバーハング部のオーバーハング量（突出量）が通水路の前端部よりも大きいため、エネルギーロスが生じやすくなる。
したがって、下流側通水路の洗浄水について、確実に前方から汚物受け面に流下させることができると共に、下流側通水路のオーバーハング部により水撥ねを抑制することができる。
さらに、ボウルの前方領域の上流側通水路のオーバーハング部のオーバーハング量（突出量）についても、通水路の前端部のオーバーハング量（突出量）よりも大きく設定することができるため、第１リム吐水口の近傍で生じやすい水撥ねについて、上流側通水路のオーバーハング部によって抑制することができる。
これらの結果、ボウル外への洗浄水の飛び散りを抑制して便器洗浄性能を向上させることができると共に、ボウルから排水路への汚物排出性能を向上させることができる。
【０００８】
本発明において、好ましくは、上記リムは、その内周面が下方から上記リムの上面まで立ち上がるように形成された立壁面を備え、この立壁面は、上記リムの内周面の上側領域及び下側領域をそれぞれ形成する上側立壁面及び下側立壁面を備えており、上記ボウルの前方領域において、上記下側立壁面は、下方から上方に向って斜め外側に立ち上がるように形成されている。
このように構成された本発明においては、ボウルの前方領域において、第１リム吐水口から通水路に吐水された洗浄水は、リムの下側立壁面に沿っても流れることになるが、この洗浄水は、下側立壁面の下側領域を流れる傾向にある。
このとき、ボウルの前方領域の下側立壁面が、下方から上方に向って斜め外側に立ち上がるように形成されているため、ボウルの前方領域の下側立壁面に沿って流れる洗浄水について、下方から上方に向って外側に広がるような流れが形成される。
したがって、ボウルの前方領域の下側立壁面に沿って流れる洗浄水について、オーバーハング部との接触によって過度なエネルギーロスが生じることにより、汚物受け面に向かって流下することを抑制することができ、高いエネルギーを維持しながら、下流側に旋回させることができる。
【０００９】
本発明において、好ましくは、上記ボウルの前方領域において、上記上側立壁面は、上記ボウルの前方領域の上記通水路の前端部又はその上流側を形成する上記リムの内周面の上側領域に設けられた第１上側立壁面と、上記ボウルの前方領域の上記下流側通水路を形成する上記リムの内周面の上側領域に設けられた第２上側立壁面と、を備え、上記第１上側立壁面及び上記第２上側立壁面のそれぞれは、その下端から斜め上方内側に向かって立ち上がるように形成された第１傾斜面及び第２傾斜面をそれぞれ備え、上記第１傾斜面及び上記第２傾斜面のそれぞれは、立面視において、鉛直面に対して傾斜する第１傾斜角度及び第２傾斜角度をそれぞれ備え、上記第２上側立壁面の第２傾斜面の第２傾斜角度は、上記第１上側立壁面の第１傾斜面の第１傾斜角度よりも大きく設定されている。
このように構成された本発明においては、ボウルの前方領域において、第１リム吐水口から吐水された洗浄水は、平面視の曲率半径が比較的大きい上流側通水路に沿って水勢を維持しながら、通水路の前端部を経て下流側通水路に旋回する。
この際に、下流側通水路の平面視の曲率半径が上流側通水路に比べて小さく設定されているため、下流側通水路内においては、洗浄水の下流側への旋回が進むにつれて、下側立壁面からその上方の第２上側立壁面に差し掛かる上昇する流れが形成されることになる。
しかしながら、ボウルの前方領域の下流側通水路においては、第２上側立壁面の第２傾斜面の第２傾斜角度が、第１上側立壁面の第１傾斜面の第１傾斜角度よりも大きく設定されているため、第２上側立壁面に差し掛かる上昇する洗浄水の流れが、第２傾斜面に沿って内側の汚物受け面に差し向けられることになる。
したがって、汚物受け面の前方に位置するボウルの前方領域の下流側通水路から水勢のある状態の洗浄水を汚物受け面に向けて流下させることができる。
【００１０】
本発明において、好ましくは、上記ボウル面は、さらに、上記通水路の棚面の外端と上記下側立壁面の下端とを曲面にて連結する連結面を備え、上記ボウルの前方領域における上記連結面の立面視の上下方向の曲率半径は、上記ボウルの前方領域の周方向の全区間に亘ってほぼ一定に設定されている。
このように構成された本発明においては、ボウルの前方領域における通水路の棚面の外端と下側立壁面の下端とを曲面にて連結する連結面について、立面視の上下方向の曲率半径がボウルの前方領域の周方向の全区間に亘ってほぼ一定に設定されているため、連結面の曲面形状のばらつきによって水流が乱れることよる水撥ねを抑制することができる。
同時に、第１リム吐水口から吐水された洗浄水について、ボウルの前方領域の通水路の前端部から下流側通水路に高いエネルギー状態で旋回させることができる。
【００１１】
本発明において、好ましくは、上記ボウルの前方領域において、上記連結面の下端は、上記ボウルの前方領域の周方向の全区間に亘ってほぼ同一の高さ位置に設けられている。
このように構成された本発明においては、ボウルの前方領域における通水路の外端と下側立壁面の下端とを曲面にて連結する連結面の下端が、ボウルの前方領域の周方向の全区間に亘ってほぼ同一の高さ位置に設けられているため、連結面の下端の高さ位置のばらつきによって水流が乱れることによる水撥ねを抑制することができる。
同時に、第１リム吐水口から吐水された洗浄水について、ボウルの前方領域の通水路の前端部から下流側通水路に高いエネルギー状態で旋回させることができる。
【００１２】
本発明において、好ましくは、上記ボウルの前方領域において上記オーバーハング部により上方が覆われる上記通水路の鉛直方向の流路断面の断面積は、上記第１リム吐水口の下流側近傍で最大となるように設定されている。
このように構成された本発明においては、第１リム吐水口の下流側近傍では、流路が解放されるために、水撥ねが生じやすい状態となっている。
しかしながら、ボウルの前方領域においてオーバーハング部により上方が覆われる通水路の鉛直方向の流路断面の断面積について第１リム吐水口の下流側近傍で最大となるように設定したことにより、オーバーハング部のオーバーハング量（突出量）についても大きく設定することができる。
したがって、第１リム吐水口の下流側近傍の通水路において、水撥ねを効果的に抑制することができる。
【００１３】
本発明において、好ましくは、上記リムは、上記第１リム吐水口の内縁を形成する内側壁と、上記第１リム吐水口の外縁を形成する外側壁と、を備え、上記リムの内周面は、上記リムの内側壁の内周面を形成する第１リム内周面と、上記リムの外側壁の内周面を形成し且つ上記第１リム内周面よりも外側に位置する第２リム内周面と、を備え、上記第１リム内周面は、上記第１リム吐水口の口縁の一部を形成する口縁部を備え、この口縁部は、上流側から下流側に向って下方から斜め上方に傾斜している。
このように構成された本発明においては、第１リム吐水口の口縁の一部を形成する第１リム内周面の口縁部が、上流側から下流側に向って下方から斜め上方に傾斜しているため、ボウルの前方領域において、第１リム吐水口から下流側の通水路に安定して洗浄水を吐水することができると共に、水撥ねについても抑制することができる。
したがって、第１リム吐水口からの安定した吐水と水撥ねの抑制とを両立させることができる。
【発明の効果】
【００１４】
本発明の水洗大便器によれば、洗浄水によるボウルの外部への飛び出しや周囲への飛び散りを効果的に抑制することができると共に、便器洗浄性能や汚物排出性能を向上させることができる。
【図面の簡単な説明】
【００１５】
【図１】本発明の一実施形態による水洗大便器の概略平面図である。
【図２】図１のＩＩ−ＩＩ線に沿った断面図である。
【図３】図１のＩＩＩ−ＩＩＩ線に沿った断面図である。
【図４】図１に示す本発明の一実施形態による水洗大便器におけるボウルの前方領域を拡大した部分拡大平面図である。
【図５】図４のＶ−Ｖ線に沿った断面図であり、本発明の一実施形態による水洗大便器のボウルの前方領域内の上流側通水路の第１リム吐水口の下流側近傍の所定位置における流路断面図である。
【図６】図４のＶＩ−ＶＩ線に沿った断面図であり、本発明の一実施形態による水洗大便器のボウルの前方領域内の通水路の前端部おける流路断面図である。
【図７】図４のＶＩＩ−ＶＩＩ線に沿った断面図であり、本発明の一実施形態による水洗大便器のボウルの前方領域内の下流側通水路の途中の所定位置における流路断面図である。
【図８】本発明の一実施形態による水洗大便器における第１リム吐水口部分を拡大した部分拡大斜視図である。
【図９】本発明の一実施形態による水洗大便器のボウル内の洗浄水の流れを概略的に説明した概略平面図である。
【発明を実施するための形態】
【００１６】
つぎに、図１〜図８を参照して、本発明の一実施形態による水洗大便器について説明する。
まず、図１は、本発明の一実施形態による水洗大便器の概略平面図である。
図１に示すように、本発明の一実施形態による水洗大便器１は、陶器製の便器本体２を備えている。この便器本体２は、上流側から下流側に向かって、導水路４と、ボウル形状のボウル６と、排水トラップ管路８とを備えている。
また、本実施形態の水洗大便器１は、便器本体２のボウル６内の水の落差による流水作用で汚物を排水トラップ管路８へ押し流す、いわゆる、「洗い落し式の水洗大便器」である。
なお、便器本体２については、陶器製以外の樹脂製等であってもよい。
【００１７】
つぎに、図１に示す本実施形態の水洗大便器１の便器本体２の上面においては、便座（図示せず）及び便蓋（図示せず）等が設けられているが、従来の水洗大便器の構造と同様であるため、具体的な説明については省略する。
また、便器本体２の上面においては、便座（図示せず）及び便蓋（図示せず）の後方側には、使用者の局部を洗浄する衛生洗浄部（図示せず）や便器本体２への給水機能に関与する給水系機能部等の機能部（図示せず）も設けられていてもよいが、これらについても、従来の水洗大便器の構造と同様であるため、具体的な説明については省略する。
【００１８】
つぎに、図１に示すように、本発明の一実施形態による水洗大便器１は、便器本体２のボウル６の後方且つ上方に設けられた洗浄水源である洗浄水タンク装置１０を備えている。
また、洗浄水タンク装置１０は、貯水した洗浄水について重力を利用して便器本体２の導水路４に供給可能にする重力給水式の貯水タンク１０ａを備えている。
ここで、貯水タンク１０ａの内部には、代表的には、貯水タンク１０ａ内に洗浄水を給水する給水装置（図示せず）や、貯水タンク１０ａの排水口（図示せず）を開閉する排水弁装置（図示せず）等が設けられているが、これらの装置は、従来と同様であるため、具体的な説明については省略する。
なお、本実施形態では、便器本体２へ洗浄水を供給する洗浄水源としては、上述した重力給水式の貯水タンク１０のようなタンク式の形態に限定されず、他の形態でも適用可能である。すなわち、便器本体２へ洗浄水を供給する洗浄水源として、水道水の給水圧を直接利用した水道直圧式の形態やフラッシュバルブ式の形態であってもよいし、或いは、ポンプの補圧を利用して洗浄水を供給する形態であってもよい。
【００１９】
つぎに、図２は、図１のＩＩ−ＩＩ線に沿った断面図であり、図３は、図１のＩＩＩ−ＩＩＩ線に沿った断面図である。
なお、図２及び図３においては、本実施形態の水洗大便器１の洗浄水タンク装置１０については省略している。
ここで、図１に示す本発明の一実施形態による水洗大便器１においては、便器本体２のボウル６の平面視において、ボウル６を前後方向に二等分するように水平左右方向に延びる中心軸線を「Ｘ」で示し、ボウル６を左右方向に二等分するように水平前後方向に延びる中心軸線を「Ｙ」で示している。
また、図１では、中心軸線Ｘ，Ｙの互いの交点を平面視のボウル６の中心Ｏとし、この中心Ｏを通る鉛直方向に延びる中心軸線を「Ｚ」で示している。
これらにより、図２及び図３に示す本発明の一実施形態による水洗大便器１においては、便器本体２のボウル６の側面視において、ボウル６を前後方向に二等分するように鉛直方向に延びる中心軸線を「Ｚ」で示している。
さらに、図１〜図３に示すように、水洗大便器１の前後左右の方向については、「前」、「後」、「左」、「右」でそれぞれ示している。
【００２０】
また、図１〜図３に示すように、水洗大便器１のボウル６においては、その前端（ボウル面Ｓの前端６ａ）から水平前後方向の中心軸線Ｙに沿って所定距離Ｙ１［ｍｍ］だけ後方の境界位置Ｐ１までの領域を「ボウル６の前方領域Ｆ」と定義し、ボウル６内の後端（ボウル面Ｓの後端６ｂ）から水平前後方向の中心軸線Ｙに沿って所定距離Ｙ２［ｍｍ］だけ前方の境界位置Ｐ２までの領域を「ボウル６の後方領域Ｂ」と定義する。
さらに、図１〜図３に示すように、水洗大便器１のボウル６において、前方領域Ｆと後方領域Ｂとの間の領域で且つ水平前後方向の中心軸線Ｙに対して右側の側方領域を「ボウル６の右側方領域Ｒ」と定義し、前方領域Ｆと後方領域Ｂとの間の領域で且つ水平前後方向の中心軸線Ｙに対して左側の側方領域を「ボウル６の左側方領域Ｌ」と定義する。
例えば、図１に示すように、ボウル６内の前端６ａから後端６ｂまでの前後方向の全長距離をＹ０［ｍｍ］とすると、ボウル６の前方領域Ｆの水平前後方向の範囲に相当する所定距離Ｙ１は、全長距離Ｙ０に対して３０％〜４０％（Ｙ１／Ｙ０＝０．３０〜０．４０）の大きさに設定されている。
また、図１に示すように、ボウル６の後方領域Ｂの水平前後方向の範囲に相当する所定距離Ｙ２は、全長距離Ｙ０に対して１５％〜２５％（Ｙ２／Ｙ０＝０．１５〜０．２５）の大きさに設定されている。
【００２１】
つぎに、図１〜図３に示すように、便器本体２の上流側に位置する導水路４は、ボウル６の後方側に形成され、貯水タンク１０から供給された洗浄水をボウル６に導くようになっている。
また、図１〜図３に示すように、便器本体２の導水路４の下流側に位置するボウル６は、下方から上方に向かって、凹部１２、汚物受け面１４、棚１６、及び、リム１８を備えている。
【００２２】
まず、ボウル６の凹部１２は、ボウル６の下方に凹状に形成されており、溜水Ｗ０が収容される溜水部となっている。
つぎに、ボウル６の汚物受け面１４は、凹部１２の上縁からボウル状に形成されており、汚物を受ける面となっている。
ここで、図１〜図３に示すように、ボウル面Ｓについては、汚物受け面１４から凹部１２にかけて下方に屈曲しており、凹部１２は、その屈曲を開始した地点を汚物受け面１４との境界としている。
なお、図１〜図３では、汚物受け面１４と凹部１２との境界線を「Ｍ」とする。すなわち、この境界線Ｍは、凹部１２の上縁に相当すると共に、汚物受け面１４の内縁かつ下縁に相当している。
また、図１〜図３に示すように、ボウル６のリム１８は、ボウル６の上縁を形成しており、リム１８の内周面Ｓ１は、図１に示す平面視において、概ね卵形の形状に形成されている。
【００２３】
ここで、図１に示すように、ボウル６の前方領域Ｆ、後方領域Ｂ、及び、左右側方領域Ｌ，Ｒのそれぞれのリム１８の内周面Ｓ１の平面視において、それぞれの前端６ａ付近の代表的な曲率半径をｒ１、後端６ｂ付近の代表的な曲率半径をｒ２、左端６ｃ付近の代表的な曲率半径をｒ３、及び、右端６ｄ付近の代表的な曲率半径をｒ４とする。
このとき、曲率半径ｒ１は、曲率半径ｒ２，ｒ３，ｒ４よりも小さく設定されている。また、曲率半径ｒ３，ｒ４は、ボウル６の左右対称の位置において互いにほぼ同一の曲率半径に設定されており、曲率半径ｒ２よりも大きく設定されている（ｒ１＜ｒ２＜ｒ３≒ｒ４）。
さらに、図１〜図３に示すように、ボウル６の棚１６は、汚物受け面１４の外縁とリム１８の下端との間に形成されている。導水路４内の洗浄水は、詳細は後述する２つのリム吐水口（第１リム吐水口２０及び第２リム吐水口２２）のそれぞれに導かれて吐水された後、棚１６上に沿って周方向下流側に導かれるようになっている。
【００２４】
つぎに、図１〜図３に示すように、導水路４は、共通通水路２４、第１リム通水路２６、及び、第２リム通水路２８を備えている。
まず、図１〜図３に示すように、共通通水路２４は、貯水タンク１０に接続される後方の入口４ａから前方のボウル６の背面側近傍まで延びるようにボウル６の後方側の便器本体２の内部に形成されている。
また、図１に示すように、第１リム通水路２６は、ボウル６の背面側近傍で共通通水路２４からボウル６の一方側（ボウル６の前方から見て左側）に分岐している。
そして、図１に示すように、第１リム通水路２６は、ボウル６の外周面を迂回しながら前方に延びるようにボウル６の左側方領域Ｌのリム１８の内部に形成された後、その前方の前方領域Ｆ内の第１吐水口（第１リム吐水口２０）まで延びている。
【００２５】
一方、図１〜図３に示すように、第２リム通水路２８については、ボウル６の背面側近傍で共通通水路２４からボウル６の他方側（ボウル６の前方から見て右側）に分岐している。
また、図１に示すように、第２リム通水路２８は、ボウル６の外周面を迂回しながら前方に延びるようにボウル６の後方領域Ｂのリム１８の内部に形成される。
そして、図１に示すように、第２リム通水路２８は、ボウル６の後方領域Ｂよりも前方で且つ水平左右方向の中心軸線Ｘよりも後方の右側方領域Ｒ内のリム１８の内部で後方側にＵターンするように形成された後、ボウル６の右側方領域Ｒ内の後方側の第２吐水口（第２リム吐水口２２）まで延びている。
さらに、図１に示すように、第２リム通水路２８については、より具体的には、上流側から下流側に向かって、入口２８ａと、外側通水路２８ｂと、屈曲通水路２８ｃと、内側通水路２８ｄとを備えている。
これにより、第２リム通水路２８は、外側通水路２８ｂの前方部分（下流側部分）から屈曲通水路２８ｃ及び内側通水路２８ｄを経て、その下流端の第２リム吐水口２２までの部分が、平面視でＵ字形形状にターンする部分（Ｕターン部Ｕ）を形成している。
【００２６】
つぎに、図１〜図３に示すように、便器本体２の下流側に位置する排水トラップ管路８は、ボウル６の下方から後方に形成され、ボウル６内の汚物を排出する排水路である。
また、図１〜図３に示すように、排水トラップ管路８の入口８ａは、ボウル６の凹部１２の下方に接続されている。
さらに、図２及び図３に示すように、排水トラップ管路８は、その入口８ａから下方且つ後方に下降する下降路８ｂと、この下降路８ｂの下流端から上方且つ後方に上昇する上昇路８ｃと、を備えている。
【００２７】
つぎに、図１〜図３に示すように、ボウル６は、下方から上方に向かって、凹部１２内の底壁面１２ａ及び側壁面１２ｂを含む壁面Ｓ２、汚物受け面１４の全面Ｓ３、棚１６の表面（棚面）Ｓ４、及び、リム１８の内周面Ｓ１を備えており、これらの面Ｓ１〜Ｓ４により、ボウル形状のボウル面Ｓを形成している。
なお、本実施形態では、ボウル６の平面視のボウル面Ｓの形状について、概ね卵形形状に形成された形態について説明するが、卵形形状とは異なる概ね楕円形状に形成された形態等であってもよい。
【００２８】
つぎに、図１及び図２に示すように、水洗大便器１の第１リム吐水口２０は、ボウル面Ｓの水平前後方向に延びる中心軸線Ｙに対して一方側の左側方領域Ｌから前方領域Ｆに変化する領域付近に配置されている。より具体的には、第１リム吐水口２０は、ボウル６の前方領域Ｆの境界位置Ｐ１よりも前方の前方領域Ｆ内の後方側に配置されている。
例えば、図１及び図２に示すように、ボウル６内の前端６ａからボウル６の前方領域Ｆ内の第１リム吐水口２０の位置Ｐ３までの前後方向の距離Ｙ３は、ボウル６内の全長距離Ｙ０に対して１５％〜３５％（Ｙ３／Ｙ０＝０．１５〜０．３５）の大きさに設定されている。
つぎに、図１及び図３に示すように、水洗大便器１の第２リム吐水口２２は、ボウル面Ｓの前後方向に延びる中心軸線Ｙに対して他方側の右側方領域Ｒから後方領域Ｂに変化する領域付近に配置されている。より具体的には、第２リム吐水口２２は、ボウル６の後方領域Ｂの前方側の境界位置Ｐ２よりも前方の右側方領域Ｒ内の後方側に配置されている。
例えば、図１及び図３に示すように、ボウル６内の後端６ｂからボウル６の右側方領域Ｒ内の第２リム吐水口２２の位置Ｐ４までの前後方向の距離Ｙ４は、ボウル６内の全長距離Ｙ０に対して１５％〜３５％（Ｙ４／Ｙ０＝０．１５〜０．３５）の大きさに設定されている。
【００２９】
つぎに、図１及び図３〜図５に示すように、第２リム吐水口２２の位置Ｐ４は、ボウル６の凹部１２の後端位置Ｐ５（図３に示す凹部１２内の後壁面１２ｃの上端位置にも相当する位置）よりも前方に設定されている。
特に、図１に示すように、この凹部１２の後端位置Ｐ５は、汚物受け面１４と凹部１２との境界線Ｍ上の最後端に位置している。
また、図１〜図３及び図５に示すように、ボウル６の凹部１２内に収容される溜水Ｗ０の水位（溜水面ＷＬ）については、便器洗浄が開始する前及び便器洗浄が完了した後の待機状態の静水位置を示している。
そして、図１に示すように、第２リム吐水口２２の位置Ｐ４は、平面視において、ボウル６の凹部１２内に収容される溜水Ｗ０の溜水面ＷＬの後端位置Ｐ６よりも前方に設定されている。
さらに、図１及び図３に示すように、第２リム吐水口２２の開口断面は、便器本体２の前後方向の後方に向かって差し向けられた状態で開口している。
【００３０】
つぎに、図４は、図１に示す本発明の一実施形態による水洗大便器におけるボウルの前方領域を拡大した部分拡大平面図である。
まず、図１及び図４に示すように、ボウル６の前方領域Ｆ内には、汚物受け面１４，Ｓ３、棚１６の表面（棚面Ｓ４）、及び、リム１８の内周面Ｓ１のそれぞれによって通水路Ｃが形成されている。
また、図４に示すように、このボウル６の前方領域Ｆの通水路Ｃは、上流側通水路Ｃ１及び下流側通水路Ｃ２を備えている。
さらに、図４に示すように、上流側通水路Ｃ１は、第１リム吐水口２０よりも前方下流側に形成されており、さらに、ボウル面Ｓの前端６ａの位置Ｐ７に対して左側且つ上流側後方に形成されている。
一方、図１及び図６に示すように、下流側通水路Ｃ２は、ボウル面Ｓの前端６ａの位置Ｐ７に対して右側且つ下流側後方に形成されている。
【００３１】
また、図４に示すように、本実施形態の水洗大便器１において、ボウル６の前方領域Ｆの上流側通水路Ｃ１内の第１リム吐水口２０の下流側近傍の所定位置Ｐ１におけるリム１８の内周面Ｓ１の平面視の曲率半径ρ１とし、下流側通水路Ｃ２の途中の所定位置Ｐ８におけるリム１８の内周面Ｓ１の平面視の曲率半径ρ２とすると、曲率半径ρ２は、曲率半径ρ１よりも小さくなるように設定されている（ρ２＜ρ１）。
【００３２】
つぎに、図５は、図４のＶ−Ｖ線に沿った断面図であり、本発明の一実施形態による水洗大便器１のボウル６の前方領域Ｆ内の上流側通水路Ｃ１の第１リム吐水口２０の下流側近傍の所定位置Ｐ８における流路断面図である。
また、図６は、図４のＶＩ−ＶＩ線に沿った断面図であり、本発明の一実施形態による水洗大便器１のボウル６の前方領域Ｆ内の通水路Ｃの前端６ａおける流路断面図である。
さらに、図７は、図４のＶＩＩ−ＶＩＩ線に沿った断面図であり、本発明の一実施形態による水洗大便器１のボウル６の前方領域Ｆ内の下流側通水路Ｃ２の途中の所定位置Ｐ９における流路断面図である。
まず、図４〜図７に示すように、ボウル面Ｓの前方領域Ｆにおけるリム１８においては、その内周面Ｓ１の上方部分がボウル６の内側に向って突出するように形成されたオーバーハング部３０を備えている。
【００３３】
つぎに、図４及び図５に示すように、ボウル６の前方領域Ｆの上流側通水路Ｃ１内の第１リム吐水口２０の下流側近傍の所定位置Ｐ８における鉛直方向の流路断面Ｔ１において、リム１８のオーバーハング部３０の最も内周側の先端部（最内部３０ａ）の各位置Ｐ１０から棚面Ｓ４まで鉛直面Ｖ１と、それよりも外周側の棚面Ｓ４と、リム１８の内周面Ｓ１とにより囲まれる流路断面積を「Ａ１」とする。
また、図４及び図６に示すように、ボウル６の前方領域Ｆの通水路Ｃの前端６ａの位置Ｐ８における鉛直方向の流路断面Ｔ２において、リム１８のオーバーハング部３０の最内部３０ａの位置Ｐ１１から棚面Ｓ４まで鉛直面Ｖ２と、それよりも外周側の棚面Ｓ４と、リム１８の内周面Ｓ１とにより囲まれる流路断面積を「Ａ２」とする。
さらに、図４及び図７に示すように、ボウル６の前方領域Ｆの下流側通水路Ｃ２内の途中の所定位置Ｐ９における鉛直方向の流路断面Ｔ３において、リム１８のオーバーハング部３０の最内部３０ａの位置Ｐ１２から棚面Ｓ４まで鉛直面Ｖ３と、それよりも外周側の棚面Ｓ４と、リム１８の内周面Ｓ１とにより囲まれる流路断面積を「Ａ３」とする。
これらにより、図４〜図７に示すように、ボウル６の前方領域Ｆ内の通水路Ｃの各流路断面Ｔ１〜Ｔ３の各断面積Ａ１〜Ａ３のうち、通水路Ｃの前端６ａの鉛直方向の流路断面Ｔ２の断面積Ａ２が、通水路Ｃの周方向の全区間の中で最小となるように設定されている。
すなわち、図６に示す通水路Ｃの前端６ａの鉛直方向の流路断面Ｔ２の断面積Ａ２は、図５に示す上流側通水路Ｃ１の流路断面積Ａ１や図７に示す下流側通水路Ｃ２の流路断面積Ａ２よりも小さくなるように設定されている（Ａ２＜Ａ１，Ａ３）。
【００３４】
また、図５〜図７に示すように、ボウル面Ｓの前方領域Ｆの通水路Ｃの鉛直方向の各流路断面Ｔ１〜Ｔ３は、リム１８の内周面Ｓ１のオーバーハング部３０により上方が覆われる領域である。
そして、図５〜図７に示すように、ボウル面Ｓの前方領域Ｆの通水路Ｃの鉛直方向の各流路断面Ｔ１〜Ｔ３の各流路断面積Ａ１〜Ａ３においては、図５に示す第１リム吐水口２０の下流側近傍の流路断面積Ａ１が通水路Ｃの周方向の全区間の中で最大となるように設定されている（Ａ１＞Ａ２，Ａ３）。
ちなみに、図５〜図７に示すように、ボウル６の前方領域Ｆの通水路Ｃの各流路断面Ｔ１〜Ｔ３におけるリム１８の内周面Ｓ１のオーバーハング部３０において、通水路Ｃの前端６ａから各最内部３０ａまでの水平方向の各距離ｄ１〜ｄ３は、実質的には、オーバーハング部３０のオーバーハング量（突出量）に相当している。
そして、図６に示すボウル面Ｓの前方領域Ｆの通水路Ｃの前端６ａの流路断面Ｔ２のオーバーハング部３０のオーバーハング量（突出量）ｄ２については、比較的小さく設定されている。
一方、図５に示す上流側通水路Ｃ１の流路断面Ｔ１のオーバーハング部３０のオーバーハング量（突出量）ｄ１や図７に示す下流側通水路Ｃ２の流路断面Ｔ３のオーバーハング部３０のオーバーハング量（突出量）ｄ３については、図６に示すボウル面Ｓの前方領域Ｆの通水路Ｃの前端６ａの流路断面Ｔ２のオーバーハング部３０のオーバーハング量（突出量）ｄ２に比べて大きく設定されている（ｄ１＞ｄ２、ｄ３＞ｄ２）。
【００３５】
つぎに、図５〜図７に示すように、ボウル６の前方領域Ｆのリム１８の内周面Ｓ１は、リム１８の下端１８ａからリム１８の上面（最上端面）１８ｂまで立ち上がるように形成された立壁面Ｓ１となっている。
また、図５〜図７に示すように、立壁面Ｓ１は、リム１８の内周面Ｓ１の下側領域及び上側領域をそれぞれ形成する下側立壁面Ｓ５及び上側立壁面Ｓ６を備えている。
さらに、図５〜図７に示すように、下側立壁面Ｓ５は、下方から上方に向って斜め外側に立ち上がるように形成されている。
【００３６】
つぎに、図５〜図７に示すように、ボウル６の前方領域Ｆの通水路Ｃの各流路断面Ｔ１〜Ｔ３の各上側立壁面Ｓ６は、その下端１８ｃから斜め上方内側に向かって立ち上がるように形成された傾斜面Ｓ７〜Ｓ９を備えている。
また、図５〜図７に示すように、各流路断面Ｔ１〜Ｔ３の立面視において、各上側立壁面Ｓ６の各傾斜面Ｓ７〜Ｓ９が、それぞれに対応する鉛直面Ｖ４〜Ｖ６に対して傾斜する傾斜角度について、それぞれ「α１」、「α２」、「α３」とする。
これらにより、図７に示す下流側通水路Ｃ２の流路断面Ｔ３の上側立壁面Ｓ６における傾斜面Ｓ９の傾斜角度α３は、図５に示す上流側通水路Ｃ１の流路断面Ｔ１の上側立壁面Ｓ６における傾斜面Ｓ７の傾斜角度α１よりも大きく設定されており（α３＞α１）、かつ、図６に示す通水路Ｃ１の前端６ａの流路断面Ｔ２の上側立壁面Ｓ６における傾斜面Ｓ８の傾斜角度α２よりも大きく設定されている（α３＞α２）。
【００３７】
つぎに、図５〜図７に示すように、ボウル面Ｓの前方領域Ｆは、さらに、通水路Ｃの棚面Ｓ４の外端１６ａと下側立壁面Ｓ５の下端１８ａとを曲面にて連結する連結面Ｓ１０を備えている。
また、図５〜図７に示すように、各流路断面Ｔ１〜Ｔ３の立面視において、各連結面Ｓ１０の立面視の上下方向の曲率半径ρ３は、ボウル面Ｓの前方領域Ｆの通水路Ｃの周方向の全区間に亘ってほぼ一定に設定されている。
ここで、各連結面Ｓ１０の曲率半径ρ３については、３ｍｍ〜２０ｍｍに設定されることが好ましく、５ｍｍ〜１５ｍｍに設定されることがより好ましい。
【００３８】
つぎに、図５〜図７に示すように、ボウル面Ｓの前方領域Ｆにおいて、連結面Ｓ１０の下端１６ａの位置Ｐ１３は、ボウル面Ｓの前方領域Ｆの通水路Ｃの周方向の全区間に亘ってほぼ同一の高さ位置に設定されている。
ここで、「ほぼ同一の高さ位置」という記載の「ほぼ同一」とは、高さ位置が完全に同一である場合を含むことは当然として、完全に同一の高さ位置ではない場合であっても、陶器製の便器本体２の製造誤差等を考慮するとほぼ同一の高さ位置とみなすことができる誤差の範囲をも含む。
【００３９】
つぎに、図８は、本発明の一実施形態による水洗大便器における第１リム吐水口部分を拡大した部分拡大斜視図である。
図２、図４及び図８に示すように、リム１８は、第１リム吐水口２０の内縁２０ａを形成する内側壁３２を備えており、また、第１リム吐水口２０の外縁２０ｂを形成する外側壁３４を備えている。
また、図２、図４及び図８に示すように、リム１８の内周面Ｓ１は、リム１８の内側壁３２の内周面（汚物受け面１４側の壁面）を形成する第１リム内周面（内側リム内周面Ｓ１１）を備えている。
さらに、図２、図４及び図８に示すように、リム１８の内周面Ｓ１は、リム１８の外側壁３４の内周面（第１リム通水路２６側の壁面）を形成する第２リム内周面（外側リム内周面Ｓ１２）を備えており、この外側リム内周面Ｓ１２は、内側リム内周面Ｓ１１よりも外側に位置している。
また、図２及び図８に示すように、リム１８の内側壁３２及び第１リム内周面（内側リム内周面Ｓ１１）は、その前側端部において第１リム吐水口２０の口縁２０ａの一部を形成する口縁部３６を備えている。
さらに、図２及び図８に示すように、リム１８の内側壁３２及び内側リム内周面Ｓ１１の口縁部３６は、立ち上がり部３６ａ及び傾斜部３６ｂを備えている。
図２に示すように、リム１８の内側壁３２の口縁部３６における立ち上がり部３６ａは、その下端の棚面Ｓ４からほぼ鉛直方向に立ち上がるように形成されている。
また、図２及び図８に示すように、リム１８の内側壁３２の口縁部３６における傾斜部３６ｂは、その下端が立ち上がり部３６ａの上端に接続されており、ボウル６の上流側から下流側（ボウル６の後方側から前方側）に向って下方から斜め上方に傾斜するように形成されている。
【００４０】
つぎに、図１〜図９を参照して、本発明の一実施形態による水洗大便器１の作用について説明する。
図９は、本発明の一実施形態による水洗大便器のボウル内の洗浄水の流れを概略的に説明した概略平面図である。
まず、図９に示すように、便器洗浄が開始され、貯水タンク１０内の洗浄水が便器本体２の導水路４の入口４ａから共通通水路２４に供給される。
そして、共通通水路２４内の洗浄水（図９の流れｆ０）は、第１リム通水路２６及び第２リム通水路２８のそれぞれに分岐し、下流側の第１リム吐水口２０及び第２リム吐水口２２のそれぞれに供給された後、周方向下流側に吐水される。
【００４１】
ここで、図４〜図７及び図９に示すように、ボウル面Ｓの前方領域Ｆにおいて、第１リム吐水口２０から比較的大流量で上流側通水路Ｃ１吐水された洗浄水（流れｆ１）は、ボウル面Ｓの前端６ａを通過した後、下流側通水路Ｃ２に旋回する。
そして、図４、図７及び図９に示すように、下流側通水路Ｃ２内の洗浄水ｆ１は、概ね大半が、下流側通水路Ｃ２の棚１６の棚面Ｓ４、連結面Ｓ５、及び、リム１８の内周面Ｓ１上に沿って下流側のボウル面Ｓの右側方領域Ｒに旋回した後、ボウル面Ｓの後方領域Ｂに流れる。これにより、ボウル面Ｓ（汚物受け面１４の全面Ｓ３）上を周方向下流側に旋回する旋回流ｆ１ａ（いわゆる、「横旋回流」）が形成される。
これにより、洗浄水ｆ１ａ（図９参照）は、ボウル面Ｓ（汚物受け面１４の全面Ｓ３等）を全周に亘って旋回し、ボウル面Ｓの全域を洗浄した後、ボウル６の凹部１２内に流れ込む。これにより、ボウル６内の水の落差による流水作用により、汚物が排水トラップ管路８内に押し流される。
また、同時に、図４、図７及び図９に示すように、ボウル６の前方領域Ｆの下流側通水路Ｃ２の洗浄水ｆ１は、下流側通水路Ｃ２を通過することにより、ボウル面Ｓの前方領域Ｆから汚物受け面１４，Ｓ３に流下する流れｆ１ｂについても形成する。
【００４２】
さらに、同時に、図９に示すように、第２リム吐水口２２から後方に吐水された洗浄水（流れｆ２）は、ボウル面Ｓの後方領域Ｂにおいて、旋回流ｆ１の旋回方向と同一方向に、ボウル面Ｓの後方領域Ｂ内の棚面Ｓ４及びリム１８の内周面Ｓ１上に沿って下流側にスムーズに流れる。
そして、図９に示すように、ボウル面Ｓの後方領域Ｂ内の洗浄水ｆ２は、ボウル面Ｓの後方領域Ｂにおける左右方向の中央領域よりも左側の汚物受け面１４からボウル面Ｓの下方の溜水部（凹部１２）内の溜水Ｗ０に向けて落とし込む流れｆ３が形成される。
また、図９に示すように、第２リム吐水口２２から吐水された洗浄水の一部は、ボウル面Ｓの後方領域Ｂの左右方向の中央領域よりも右側付近の棚面Ｓ４及び汚物受け面１４から、ボウル６の凹部１２内の溜水Ｗ０に向けて後方側から落とし込む流れｆ４が形成される。
そして、図９に示すように、ボウル６の凹部１２内においては、これらの洗浄水の流れｆ３，ｆ４により、縦方向に旋回する旋回流（いわゆる、「縦旋回流」）が形成される。これにより、ボウル６の凹部１２内の溜水Ｗ０が強力に攪拌された後、ボウル６の凹部１２内の水の落差による流水作用で汚物が排水トラップ管路８内に押し流される。
【００４３】
上述した本発明の一実施形態による水洗大便器１によれば、図９に示すように、ボウル６のボウル面Ｓの前方領域Ｆにおいて、第１リム吐水口２０から上流側通水路Ｃ１に吐水された洗浄水ｆ１は、ボウル面Ｓの前端６ａを通過した後、下流側通水路Ｃ２に旋回する。
このとき、図５〜図７及び図９に示すように、ボウルＳの前方領域Ｆにおける通水路Ｃにおいては、棚面Ｓ４とオーバーハング部３０との間に形成されて、その上方がリム１８の内周面Ｓ１のオーバーハング部３０により覆われる鉛直方向の各流路断面Ｔ１〜Ｔ３のうちで、通水路Ｃの前端６ａにおける流路断面Ｔ２の断面積Ａ２が最小となるように設定されている。
これにより、図６に示すように、ボウル６の前方領域Ｆの通水路Ｃの前端６ａの流路断面Ｔ２のオーバーハング部３０のオーバーハング量（突出量）ｄ２についても、比較的小さく設定することができる。
一方、図５及び図７に示すように、ボウル６の前方領域Ｆの上流側通水路Ｃ１及び下流側通水路Ｃ２のそれぞれのオーバーハング部３０のオーバーハング量（突出量）ｄ１，ｄ３については、通水路Ｃの前端６ａの流路断面Ｔ２のオーバーハング量（突出量）ｄ２よりも大きく設定することができる。
これらの結果、図６及び図９に示すように、第１リム吐水口２０から上流側通水路Ｃ１に吐水された洗浄水ｆ１が通水路Ｃの前端６ａ付近を通過する際に、オーバーハング部３０との衝突によるエネルギーロスを抑制することができ、高いエネルギーを維持しながら、下流側通水路Ｃ２に洗浄水ｆ１を旋回させることができる。
また、図４、図６、図７及び図９に示すように、ボウル６の前方領域Ｆの通水路Ｃの前端６ａ付近を通過した洗浄水ｆ１が下流側通水路Ｃ２を流れる際には、下流側通水路Ｃ２の平面視の曲率半径ρ２が上流側通水路Ｃ１の平面視の曲率半径ρ１よりも小さく（ρ２＜ρ１）、かつ、下流側通水路Ｃ２の流路断面Ｔ３のオーバーハング部３０のオーバーハング量（突出量）ｄ３が通水路Ｃの前端６ａの流路断面Ｔ２のオーバーハング量（突出量）ｄ２よりも大きいため（ｄ３＞ｄ２）、エネルギーロスが生じやすくなる。
したがって、図４、図７及び図９に示すように、ボウル６の前方領域Ｆの下流側通水路Ｃ２の洗浄水ｆ１について、確実にボウル面Ｓの前方領域Ｆから汚物受け面１４，Ｓ３に流下させることができると共に、ボウル面Ｓの前方領域Ｆの下流側通水路Ｃ２のオーバーハング部３０により水撥ねを抑制することができる。
さらに、図５及び図６に示すように、ボウル６の前方領域Ｆの上流側通水路Ｃ１のオーバーハング部３０のオーバーハング量（突出量）ｄ１についても、通水路Ｃの前端６ａのオーバーハング量（突出量）ｄ２よりも大きく設定することができるため（ｄ１＞ｄ２）、第１リム吐水口２０の近傍で生じやすい水撥ねについて、上流側通水路Ｃ１のオーバーハング部３０によって抑制することができる。
これらの結果、ボウル６の外部への洗浄水の飛び散りを抑制して便器洗浄性能を向上させることができると共に、ボウル６から排水トラップ管路８への汚物排出性能を向上させることができる。
【００４４】
つぎに、本実施形態による水洗大便器１によれば、図５〜図７及び図９に示すように、ボウル６の前方領域Ｆにおいて、第１リム吐水口２０から通水路Ｃに吐水された洗浄水ｆ１は、リム１８の下側立壁面Ｓ５に沿っても流れることになるが、この洗浄水ｆ１は、下側立壁面Ｓ５の下側領域を流れる傾向にある。
このとき、図５〜図７に示すように、ボウル６の前方領域Ｆの通水路Ｃにおけるリム１８の下側立壁面Ｓ５が、下方から上方に向って斜め外側に立ち上がるように形成されているため、この通水路Ｃの下側立壁面Ｓ５に沿って流れる洗浄水ｆ１については、下方から上方に向って外側に広がるような流れが形成される。
したがって、ボウル６の前方領域Ｆの通水路Ｃにおけるリム１８の下側立壁面Ｓ５に沿って流れる洗浄水ｆ１について、オーバーハング部３０との接触によって過度なエネルギーロスが生じることにより、汚物受け面１４に向かって流下することを抑制することができ、高いエネルギーを維持しながら、下流側に旋回させることができる。
【００４５】
また、本実施形態による水洗大便器１によれば、図４〜図７及び図９に示すように、ボウル６の前方領域Ｆの通水路Ｃにおいて、第１リム吐水口２０から吐水された洗浄水ｆ１は、平面視の曲率半径ρ１が比較的大きい上流側通水路Ｃ１に沿って水勢を維持しながら、通水路Ｃの前端６ａ付近を通過して、下流側通水路Ｃ２に旋回する。
この際に、図４に示すように、下流側通水路Ｃ２の平面視の曲率半径ρ２が上流側通水路Ｃ１の平面視の曲率半径ρ１に比べて小さく設定されているため（ρ２＜ρ１）、図７及び図９に示す下流側通水路Ｃ２内においては、洗浄水ｆ１の下流側への旋回が進むにつれて、リム１８の下側立壁面Ｓ５からその上方の上側立壁面Ｓ６に差し掛かる上昇する流れが形成されることになる。
しかしながら、図７に示すボウル６の前方領域Ｆの下流側通水路Ｃ２の流路断面Ｔ３の上側立壁面Ｓ６の傾斜面Ｓ９の傾斜角度α３が、図５に示す上流側通水路Ｃ１の流路断面Ｔ１の上側立壁面Ｓ６における傾斜面Ｓ７の傾斜角度α１よりも大きく設定されており（α３＞α１）、かつ、図６に示す通水路Ｃ１の前端６ａの流路断面Ｔ２の上側立壁面Ｓ６における傾斜面Ｓ８の傾斜角度α２よりも大きく設定されている（α３＞α２）。
これらにより、図７に示す下流側通水路Ｃ２の流路断面Ｔ３の上側立壁面Ｓ６に差し掛かる上昇する洗浄水の流れは、上側立壁面Ｓ６の傾斜面Ｓ９に沿って内側の汚物受け面１４に差し向けられることになる。
したがって、図４及び図９に示すように、汚物受け面１４の前方に位置するボウル６の前方領域Ｆの下流側通水路Ｃ２から水勢のある状態の洗浄水ｆ１を汚物受け面１４に向けて流下させることができる。
【００４６】
さらに、本実施形態の水洗大便器１によれば、図５〜図７に示すように、ボウル面Ｓの前方領域Ｆの通水路Ｃの各流路断面Ｔ１〜Ｔ３の立面視において、各連結面Ｓ１０の立面視の上下方向の曲率半径ρ３は、ボウル面Ｓの前方領域Ｆの通水路Ｃの周方向の全区間に亘ってほぼ一定に設定されている。
これにより、連結面Ｓ１０の曲面形状のばらつきによって水流が乱れることよる水撥ねを抑制することができる。
同時に、図９に示すように、第１リム吐水口２０からボウル面Ｓの前方領域Ｆの通水路Ｃに吐水された洗浄水ｆ１について、ボウル６の前方領域Ｆの通水路Ｃの前端６ａから下流側通水路Ｃ２に高いエネルギー状態で旋回させることができる。
【００４７】
また、本実施形態による水洗大便器１によれば、ボウルの前方領域における通水路の外端と下側立壁面の下端とを曲面にて連結する連結面の下端が、ボウルの前方領域の周方向の全区間に亘ってほぼ同一の高さ位置に設けられているため、連結面の下端の高さ位置のばらつきによって水流が乱れることによる水撥ねを抑制することができる。
同時に、第１リム吐水口から吐水された洗浄水について、ボウルの前方領域の通水路の前端部から下流側通水路に高いエネルギー状態で旋回させることができる。
【００４８】
さらに、本実施形態による水洗大便器１によれば、第１リム吐水口２０の下流側近傍では、流路が解放されるために、水撥ねが生じやすい状態となっている。
しかしながら、図５〜図７に示すように、ボウル面Ｓの前方領域Ｆの通水路Ｃの鉛直方向の各流路断面Ｔ１〜Ｔ３の各流路断面積Ａ１〜Ａ３においては、図５に示す第１リム吐水口２０の下流側近傍の流路断面Ｔ１の断面積Ａ１について、通水路Ｃの周方向の全区間の中で最大に設定することができる（Ａ１＞Ａ２，Ａ３）。これにより、流路断面Ｔ１のオーバーハング部３０のオーバーハング量（突出量）ｄ１についても、通水路Ｃの周方向の全区間の中で最大に設定することができる。
したがって、第１リム吐水口２０の下流側近傍の上流側通水路Ｃ１において、水撥ねを効果的に抑制することができる。
【００４９】
また、本実施形態による水洗大便器１によれば、図２及び図８に示すように、リム１８の内側壁３２の口縁部３６における傾斜部３６ｂについて、その下端が立ち上がり部３６ａの上端に接続されており、ボウル６の上流側から下流側（ボウル６の後方側から前方側）に向って下方から斜め上方に傾斜するように形成されている。
これにより、ボウル６の前方領域Ｆにおいて、第１リム吐水口２０から下流側の通水路Ｃの上流側通水路Ｃ１に安定して洗浄水を吐水することができると共に、水撥ねについても抑制することができる。
したがって、第１リム吐水口２０からの安定した吐水と水撥ねの抑制とを両立させることができる。
【００５０】
なお、上述した本実施形態による水洗大便器１においては、いわゆる、「洗い落し式の水洗大便器」の形態に適用した例について説明したが、洗い落し式の水洗大便器以外の形態の水洗大便器に対しても適用可能である。
すなわち、洗い落し式の水洗大便器以外の形態の水洗大便器として、サイホン作用を利用してボウル内の汚物を吸い込んで排水トラップ管路から一気に外部に排出する、いわゆる、「サイホン式の水洗大便器」等に対しても適用可能である。
【符号の説明】
【００５１】
１        水洗大便器
２        便器本体
４        導水路
４ａ      導水路の入口
６        ボウル
６ａ      ボウル内の前端、ボウル面の前端（ボウル面の前端部）
６ｂ      ボウル内の後端、ボウル面の後端
６ｃ      ボウル内の左端、ボウル面の左端
６ｄ      ボウル内の左端、ボウル面の左端
８        排水トラップ管路（排水路）
８ａ      排水トラップ管路の入口
８ｂ      排水トラップ管路の下降路
８ｃ      排水トラップ管路の上昇路
１０        洗浄水タンク装置（洗浄水源）
１０ａ      貯水タンク
１２        凹部（溜水部）
１２ａ      凹部の底壁面
１２ｂ      凹部の側壁面
１２ｃ      凹部の後壁面
１４        汚物受け面
１６        棚
１６ａ      棚面の外端
１８        リム
１８ａ      リムの下縁、リムの下端、下側立壁面の下端
１８ｂ      リムの上面
１８ｃ      リムの下側立壁面の上端、リムの上側立壁面の下端
２０        第１リム吐水口（吐水部、第１吐水口）
２０ａ      第１リム吐水口の内縁
２２        第２リム吐水口（吐水部、第２吐水口）
２４        共通通水路
２６        第１リム通水路
２８        第２リム通水路
２８ａ      第２リム通水路の入口
２８ｂ      第２リム通水路の外側通水路
２８ｃ      第２リム通水路の屈曲通水路
２８ｄ      第２リム通水路の内側通水路
３０        リムのオーバーハング部
３０ａ      最内部
３２        リムの内側壁
３２ａ      第１リム吐水口の口縁部
３４        リムの外側壁
３６        口縁部
３６ａ      口縁部の立ち上がり部
３６ｂ      口縁部の傾斜部
Ａ１      ボウルの前方領域内の上流側通水路の流路断面積
Ａ２      ボウルの前方領域内の通水路の前端部の流路断面積
Ａ３      ボウルの前方領域内の下流側通水路の流路断面積
Ｂ        ボウルの後方領域
Ｃ        ボウルの前方領域内の通水路
Ｃ１      ボウルの前方領域内の上流側通水路
Ｃ２      ボウルの前方領域内の下流側通水路
Ｌ        ボウルの左側方領域
Ｍ        汚物受け面と凹部との境界線
Ｆ        ボウルの前方領域
ｆ０      共通通水路の洗浄水の流れ
ｆ１      第１リム吐水口から吐水された洗浄水の流れ（旋回流）
ｆ２      第２リム吐水口から吐水された洗浄水の流れ
ｆ３      第２リム吐水口から吐水された洗浄水の大半の流れ
ｆ４      第２リム吐水口から吐水された洗浄水の一部の流れ
ｆ５      縦旋回流
Ｏ        ボウルの中心
Ｐ１      ボウルの前端から水平前後方向の中心軸線に沿って所定距離後方のボウルの前方領域と左右側方領域との境界位置
Ｐ２      ボウルの後端から水平前後方向の中心軸線に沿って所定距離前方のボウルの後方領域と左右側方領域との境界位置
Ｐ３      第１リム吐水口の位置
Ｐ４      第２リム吐水口の位置
Ｐ５      凹部の後端位置
Ｐ６      溜水面の後端位置
Ｐ７      ボウル面の前端の位置
Ｐ８      ボウルの前方領域の上流側通水路内の第１リム吐水口の下流側近傍の所定位置
Ｐ９      ボウルの前方領域の下流側通水路の途中の所定位置
Ｐ１０    オーバーハング部の最内部の位置
Ｐ１１    オーバーハング部の最内部の位置
Ｐ１２    オーバーハング部の最内部の位置
Ｐ１３    連結面の下端位置
Ｒ        ボウルの右側方領域
ｒ１      ボウルの前方領域のリムの内周面の平面視における前端付近の代表的な曲率半径
ｒ２      ボウルの後方領域のリムの内周面の平面視における後端付近の代表的な曲率半径
ｒ３      ボウルの左側方領域のリムの内周面の平面視における左端付近の代表的な曲率半径
ｒ４      ボウルの右側方領域のリムの内周面の平面視における右端付近の代表的な曲率半径
Ｓ        ボウル面
Ｓ１      リムの内周面（立壁面）
Ｓ２      凹部内の壁面
Ｓ３      汚物受け面の全面
Ｓ４      棚の表面（棚面）
Ｓ５      下側立壁面
Ｓ６      上側立壁面
Ｓ７      上側立壁面の傾斜面（第１上側立壁面の第１傾斜面）
Ｓ８      上側立壁面の傾斜面（第１上側立壁面の第１傾斜面）
Ｓ９      上側立壁面の傾斜面（第２上側立壁面の第２傾斜面）
Ｓ１０    ボウル面の前方領域における棚面の外端とリムの下側立壁面との間の連結面
Ｓ１１    内側リム内周面
Ｓ１２    外側リム内周面
Ｔ１      ボウルの前方領域の上流側通水路の流路断面
Ｔ２      ボウルの前方領域の通水路の前端の流路断面
Ｔ３      ボウルの前方領域の下流側通水路の流路断面
Ｕ        第２リム通水路のＵターン部
Ｖ１      鉛直面
Ｖ２      鉛直面
Ｖ３      鉛直面
Ｖ４      鉛直面
Ｖ５      鉛直面
Ｖ６      鉛直面
Ｗ０      溜水
ＷＬ      溜水の水位（溜水面）
Ｘ        ボウルの水平左右方向の中心軸線
Ｙ        ボウルの水平前後方向の中心軸線
Ｙ０      ボウル内の前端から後端までの前後方向の全長距離
Ｙ１      ボウル内の前端から前方領域と左右側方領域との境界位置までの前後方向の距離
Ｙ２      ボウル内の後端から後方領域と左右側方領域との境界位置までの前後方向の距離
Ｙ３      ボウル内の前端から第１リム吐水口までの前後方向の距離
Ｙ４      ボウル内の後端から第２リム吐水口までの前後方向の距離
Ｚ        ボウルの中心を通る鉛直方向の中心軸線
α１      上側立壁面の傾斜面（第１上側立壁面の第１傾斜面の第１傾斜角度）
α２      上側立壁面の傾斜面（第１上側立壁面の第１傾斜面の第１傾斜角度）
α３      上側立壁面の傾斜面（第２上側立壁面の第２傾斜面の第２傾斜角度）
ρ１      ボウルの前方領域及び左右側方領域における第１連結面の立面視における曲面の上下方向の曲率半径
ρ２      ボウルの後方領域における第２連結面の立面視における曲面の上下方向の曲率半径
ρ３      ボウル面の前方領域における棚面の外端とリムの下側立壁面との間の連結面の立面視の上下方向の曲率半径
【図１】
2019173323.tif 000003
【図２】
2019173323.tif 000004
【図３】
2019173323.tif 000005
【図４】
2019173323.tif 000006
【図５】
2019173323.tif 000007
【図６】
2019173323.tif 000008
【図７】
2019173323.tif 000009
【図８】
2019173323.tif 000010
【図９】
2019173323.tif 000011